(57)【要約】【課題】小型化が可能であるとともに製造コストの低廉化を実現可能なハイブリッドコンプレッサを提供する。【解決手段】センターハウジング２とリアハウジング３との間に構成された圧縮機構１０と、フロントハウジング内１に構成された駆動機構３０と、フロントハウジング１外に構成された電磁クラッチ５０とを備えたハイブリッドコンプレッサである。駆動機構３０は回転軸４を回転駆動可能なＳＲモータ３１を有している。このＳＲモータ３１は、フロントハウジング１に固定され、各々巻線３３を持つ６極の第１突極子３２ａを軸心周りに有する固定子３２と、回転軸４に固定され、４極の第２突極子３４ａ、３４ｂ、３４ｃ、３４ｄを軸心周りに有する回転子３４とを備え、第１突極子３２ａの励磁タイミングを制御することにより回転子３４を回転可能である。【選択図】        図１
2004301055.tif 000002
【特許請求の範囲】
【請求項１】
ハウジングと、該ハウジング内に構成され、冷媒ガスを吸入、圧縮及び吐出可能な圧縮機構と、該ハウジング内に構成され、回転軸を回転駆動可能な電動モータを有し、該回転軸により該圧縮機構を駆動可能な駆動機構と、該ハウジング外に構成され、該ハウジング外に配設された外部駆動源の駆動力を該回転軸に伝達して該圧縮機構を駆動可能な伝達機構とを備えたハイブリッドコンプレッサにおいて、
前記電動モータは、前記ハウジングに固定され、各々巻線を持つ複数の第１突極子を軸心周りに有する固定子と、前記回転軸に固定され、該固定子の該第１突極子の数と異なる数の第２突極子を該軸心周りに有する回転子とを備え、該第１突極子の励磁タイミングを制御することにより該回転子を回転可能なＳＲモータであることを特徴とするハイブリッドコンプレッサ。
【請求項２】
前記駆動機構及び前記伝達機構の少なくとも一方と前記圧縮機構との間には、前記回転軸を変速可能な変速機構が備えられていることを特徴とする請求項１記載のハイブリッドコンプレッサ。
【請求項３】
前記変速機構は、前記駆動機構と前記圧縮機構との間に備えられ、前記回転軸を減速可能な減速機構であることを特徴とする請求項２記載のハイブリッドコンプレッサ。
【請求項４】
前記減速機構と前記回転軸との間には、該減速機構から該回転軸への動力伝達を許容するとともに、該回転軸から該減速機構への動力伝達を遮断可能なワンウェイクラッチが備えられていることを特徴とする請求項３記載のハイブリッドコンプレッサ。
【発明の詳細な説明】
【０００１】
【発明の属する技術分野】
本発明はハイブリッドコンプレッサに関する。このハイブリッドコンプレッサは車両用空調システムに用いて好適である。
【０００２】
【従来の技術】
従来のハイブリッドコンプレッサとして、特許文献１記載のものが知られている。このハイブリッドコンプレッサは、ハウジングと、このハウジング内に構成された圧縮機構及び駆動機構と、ハウジング外に構成された伝達機構とを備えている。圧縮機構は冷媒ガスを吸入、圧縮及び吐出可能なものであり、特許文献１には圧縮機構としてスクロール型及びベーン型のものが開示されている。駆動機構は、回転軸を回転駆動可能な電動モータを有しており、回転軸により圧縮機構を駆動可能になっている。特許文献１には、駆動機構の電動モータとして誘導電動機型モータを開示している。また、伝達機構は、ハウジング外に配設されたエンジン等の外部駆動源の駆動力を回転軸に伝達して圧縮機構を駆動可能になっており、特許文献１には伝達機構として電磁クラッチが開示されている。
【０００３】
このハイブリッドコンプレッサでは、外部駆動源が運転状態にあるときには、外部駆動源の駆動力が伝達機構によって回転軸に伝達され、圧縮機構が駆動される。また、外部駆動源が停止状態にあるときには、駆動機構の電動モータが回転軸を回転駆動することにより圧縮機構が駆動される。そのため、外部駆動源が運転状態であっても停止状態であっても、車両用空調システムを作動させることができ、快適な車内空間を保持することができる。
【０００４】
【特許文献１】
特開平１１−９３８７６号公報
【０００５】
【発明が解決しようとする課題】
しかし、上記従来のハイブリッドコンプレッサでは、比較的容積の大きい誘導電動機型モータを電動モータとして採用しているため、小型化に限界があった。また、誘導電動機型モータの駆動回路は複雑かつ高価であるため、ハイブリッドコンプレッサの製造コストの低廉化にも限界があった。
【０００６】
本発明は、上記従来の実情に鑑みてなされたものであって、小型化が可能であるとともに、製造コストの低廉化を実現可能なハイブリッドコンプレッサを提供することを解決すべき課題としている。
【０００７】
【課題を解決するための手段】
本発明者らは、上記課題解決のために鋭意研究を行い、近年における制御技術の進展により優れた性能を発揮可能となったＳＲ（Ｓｗｉｔｃｈｅｄ  Ｒｅｌｕｃｔａｎｃｅ）モータに注目し、本発明を完成するに至った。
【０００８】
すなわち、本発明のハイブリッドコンプレッサは、ハウジングと、該ハウジング内に構成され、冷媒ガスを吸入、圧縮及び吐出可能な圧縮機構と、該ハウジング内に構成され、回転軸を回転駆動可能な電動モータを有し、該回転軸により該圧縮機構を駆動可能な駆動機構と、該ハウジング外に構成され、該ハウジング外に配設された外部駆動源の駆動力を該回転軸に伝達して該圧縮機構を駆動可能な伝達機構とを備えたハイブリッドコンプレッサにおいて、
前記電動モータは、前記ハウジングに固定され、各々巻線を持つ複数の第１突極子を軸心周りに有する固定子と、前記回転軸に固定され、該固定子の該第１突極子の数と異なる数の第２突極子を該軸心周りに有する回転子とを備え、該第１突極子の励磁タイミングを制御することにより該回転子を回転可能なＳＲモータであることを特徴とする。
【０００９】
本発明のハイブリッドコンプレッサでは、電動モータとしてＳＲモータを採用している。このＳＲモータは、ハウジングに固定され、各々巻線を持つ複数の第１突極子を軸心周りに有する固定子と、回転軸に固定され、固定子の第１突極子の数と異なる数の第２突極子を軸心周りに有する回転子とを備え、第１突極子の励磁タイミングを制御することにより回転子を回転させるものである。このＳＲモータは、回転子に永久磁石や巻線がないため、構造が簡単であり、丈夫である上、安価である。また、固定子の巻線が第１突極子に集中巻きされるため、コイルエンドが短くて済み、電動モータがコンパクトになる。さらに、スイッチング用パワー素子、駆動回路、保護回路等を１つにした電源用半導体モジュールであるＩＰＭ（Ｉｎｔｅｌｌｉｇｅｎｔ  Ｐｏｗｅｒ  Ｍｏｄｕｌｅ）等を用いた制御技術の進展により、確実かつ低コストにＳＲモータを制御することが可能である。
【００１０】
したがって、本発明のハイブリッドコンプレッサによれば、小型化が可能であるとともに、製造コストの低廉化を実現することができる。
【００１１】
本発明のハイブリッドコンプレッサにおいて、圧縮機構としては、スクロール型、ベーン型、斜板型のもの等、公知のものを採用することができる。伝達機構としては、電磁クラッチを採用できる他、圧縮機構が駆動されていても冷媒ガスの吸入、圧縮及び吐出を実質的に行わないものである場合には、単なるプーリを採用することもできる。
【００１２】
駆動機構及び伝達機構の少なくとも一方と圧縮機構との間には、回転軸を変速可能な変速機構が備えられていることが好ましい。駆動機構と圧縮機構との間に変速機構を備えた場合には、駆動機構による回転軸の回転数を変速機構により変速して圧縮機構を駆動することができる。伝達機構と圧縮機構との間に変速機構を備えた場合には、伝達機構による回転軸の回転数を変速機構により変速して圧縮機構を駆動することができる。駆動機構及び伝達機構と圧縮機構との間に変速機構を備えた場合には、駆動機構による回転軸の回転数と伝達機構による回転軸の回転数とを変速機構により変速して圧縮機構を駆動することができる。こうして、圧縮機構や車両用空調システムに適した回転数で圧縮機構を駆動することが可能になる。
【００１３】
変速機構としては、駆動機構と圧縮機構との間に備えられ、回転軸を減速可能な減速機構を採用することができる。ＳＲモータによって回転軸を回転駆動する場合、回転軸の回転数は大きくなりやすい。こうして圧縮機構を駆動するとすれば、圧縮機構では、冷媒の吸入、圧縮及び吐出に伴って回転軸に負荷が作用するため、ＳＲモータに大きなトルクが必要になる。このような大きなトルクを出力可能なＳＲモータを採用するとすれば、ＳＲモータの大型化、ひいてはハイブリッドコンプレッサの大型化を生じてしまう。これに対し、変速機構として、駆動機構と圧縮機構との間に備えられた減速機構を採用すれば、ＳＲモータの回転トルクを小さくすることができるため、ＳＲモータの小型化、ひいてはハイブリッドコンプレッサの小型化を実現することが可能である。
【００１４】
減速機構と回転軸との間には、減速機構から回転軸への動力伝達を許容するとともに、回転軸から減速機構への動力伝達を遮断可能なワンウェイクラッチが備えられていることが好ましい。ワンウェイクラッチにより、ＳＲモータの駆動力は減速機構を介して回転軸に伝達される一方、圧縮機構に作用する負荷は回転軸から減速機構に伝達されることはない。そのため、圧縮機構にとって減速機構及び駆動機構が負荷となることはなく、圧縮機構がロックすることがない。
【００１５】
【発明の実施の形態】
以下、本発明を具体化した実施形態を図面を参照しつつ説明する。
【００１６】
実施形態のハイブリッドコンプレッサは、図１に示すように、センターハウジング２、固定スクロール１１及びリアハウジング３内に構成された圧縮機構１０と、フロントハウジング内１に構成された駆動機構３０及び減速機構４０と、フロントハウジング１外に構成された伝達機構としての電磁クラッチ５０とを備えている。フロントハウジング１、センターハウジング２、固定スクロール１１及びリアハウジング３がハウジングである。
【００１７】
圧縮機構１０は、互いに噛合することにより圧縮室１３を形成する固定スクロール１１と可動スクロール１２とを備えている。固定スクロール１１は、センターハウジング２及びリアハウジング３に挟持された状態で固定され、外郭を形成するシェル部１１ｂと、リアハウジング３側でシェル部１１ｂと一体をなす円板状の固定側板１１ａと、固定側板１１ａのセンターハウジング２側に突出して固定側板１１ａと一体に形成され、インボリュート曲線等により形成された固定渦巻体１１ｃとからなる。可動スクロール１２は、円板状の可動側板１２ａと、この可動側板１２ａのリアハウジング３側に突出して可動側板１２ａと一体に形成され、インボリュート曲線等により形成された可動渦巻体１２ｂと、可動側板１２ａのセンターハウジング２側に形成されたボス部１２ｃとからなる。
【００１８】
リアハウジング３内には吸入室３ｂ及び吐出室３ａが形成されている。固定側板１１ａの外周部分には吸入室３ｂと圧縮室１３とを連通する図示しない吸入ポートが貫設され、吸入室３ｂは図示しない冷凍回路の蒸発器と連通されている。また、固定側板１１ａの中央部分には吐出室３ａと圧縮室１３とを連通する吐出ポート１４が貫設され、吐出室３ａは図示しない冷凍回路の凝縮器と連通されている。
【００１９】
センターハウジング２内には回転軸４が挿通される軸孔２ａが形成され、回転軸４と軸孔２ａとの間には封止装置２１が設けられている。これにより、センターハウジング２とフロントハウジング１とは密閉状態で接合されている。この軸封装置２１及びラジアル軸受２２を介して回転軸４が回転自在に支承されている。また、回転軸４の大径部内端には軸心から偏心してスライドキー２３が突設されている。このスライドキー２３には駆動ブッシュ２５が嵌合されており、駆動ブッシュ２５にはカウンタウェイト２４が嵌合されている。駆動ブッシュ２５の外周面にはラジアル軸受２６を介して可動側板１２ａのボス部１２ｃが支承されている。センターハウジング２と可動側板１２ａとの間には自転防止機構２７が設けられており、これにより可動側板１２ａの自転が防止されている。
【００２０】
駆動機構３０は、回転軸４を回転駆動可能なＳＲモータ３１とモータ・コントローラが搭載されたプリント基板３７とを有している。ＳＲモータ３１は、固定子３２と巻線３３と回転子３４とから構成されている。固定子３２は円筒状をなし、図２〜４にも示すように、外面がフロントハウジング１に固定され、内側には６極の第１突極子３２ａが軸心周りに等角度間隔で突設されている。各第１突極子３２ａには、隣り合う第１突極子３２ａ間で巻き方向が逆向きになるように、巻線３３が巻着されている。こうして、Ｕ相、Ｖ相及びＷ相の三相が形成され、各相の巻線３３はコネクタ３６を介してプリント基板３７に電気的に接続されている。そして、プリント基板３７はケーブル３８を介して図５に示すようなモータ・コントローラ７１に接続されている。また、固定子３２の内側には円筒状をなす回転子３４が回転可能に設けられており、回転子３４の外側には４極の第２突極子３４ａ、３４ｂ、３４ｃ、３４ｄが軸心周りに突設されている。なお、第１突極子と第２突極子との数の組み合わせは、一定方向に回転可能な数の組み合わせであればよいが、本実施形態では６個の第１突極子と４個の第２突極子の組み合わせを採用した。
【００２１】
ＳＲモータ３１は、図５に示すように、ＩＰＭ７２及び位置検出回路７３を含むモータ・コントローラ７１に電気的に接続されており、モータ・コントローラ７１はマイコン７０に電気的に接続されている。なお、ＩＰＭとは、Ｉｎｔｅｌｌｉｇｅｎｔ  Ｐｏｗｅｒ  Ｍｏｄｕｌｅの略語であり、スイッチング用パワー素子、駆動回路、保護回路等を１つにした電源用半導体モジュールである。また、位置検出回路７３は、巻線３３への印加電圧等を検出するものであり、この検出値を基にマイコン７０が回転子３４の位置を推定する。
【００２２】
また、図１に示すように、駆動機構３０と圧縮機構１０との間には、回転軸４を減速可能な減速機構４０が設けられている。この減速機構４０は、太陽歯車４２、３個の遊星歯車４３及び内歯車４４からなる遊星歯車機構を備えている。太陽歯車４２は、図２〜４にも示すように、ＳＲモータ３１の回転子３４に嵌合されて回転子３４と一体回転可能にされており、その外周面の一部に外歯が形成されている。太陽歯車４２及び回転子３４とセンターハウジング２との間にはシールド軸受４１が設けられ、これにより太陽歯車４２及び回転子３４が回転自在に支承されている。フロントハウジング１には内周面に内歯が形成された内歯車４４が固定され、内歯車４４にはシールド軸受４８を介して太陽歯車４２が回転自在に支承されている。また、太陽歯車４２と内歯車４４との間には、３個の遊星歯車４３が回転可能に設けられ、各遊星歯車４３の外周面には太陽歯車４２の外歯及び内歯車４４の内歯と噛合する外歯が形成されている。各遊星歯車４３はアーム４３ａにより連結されている。また、フロントハウジング１にはシールド軸受４９を介してアーム４３ａが回転自在に支承されているとともに、軸封装置４６及びシールド軸受４５を介して回転軸４が回転自在に支承されている。このように、減速機構４０は軸封装置２１、４６のほか、シールド軸受４１、４８、４９、４５によっても封止されており、減速機構４０内の潤滑油Ｌが外に漏れないようにされている。
【００２３】
また、減速機構４０のアーム４３ａと回転軸４との間にはワンウェイクラッチ４７が設けられている。このワンウェイクラッチ４７としては、例えば特開２００２−２７６７７５号公報記載をものを採用することができる。このワンウェイクラッチ４７により、減速機構４０から回転軸４へは動力が伝達されるが、回転軸４から減速機構４０へは動力が伝達されないようになっている。
【００２４】
また、伝達機構である電磁クラッチ５０がフロントハウジング１外に構成されている。この電磁クラッチ５０では、回転軸４にアーマチュアをもつハブ５３が固定されている。また、フロントハウジング１には軸受装置５４を介してプーリ５１が回転可能に設けられ、プーリ５１には外部駆動源としてのエンジン６０と接続された図示しないベルトが巻きかけられている。さらに、フロントハウジング１にはプーリ５１内に位置するようにコイル５２が設けられている。この電磁クラッチ５０では、コイル５２に通電すれば、ハブ５３のアーマチュアがプーリ５１に磁着され、回転軸４がプーリ５１と同期回転し、エンジン６０の駆動力が回転軸４に伝達される。また、コイル５２への通電を停止すれば、ハブ５３のアーマチュアがプーリ５１から離れ、回転軸４はプーリ５１によっては回転されず、エンジン６０の駆動力が回転軸４に伝達されない。
【００２５】
以上の構成をしたハイブリッドコンプレッサでは、電磁クラッチ５０への通電を停止するとともにＳＲモータ３１へ通電し、駆動機構３０により圧縮機構１０を駆動することができる。つまり、電磁クラッチ５０のコイル５２への通電を停止すれば、プーリ５１とハブ５３とが切り離される。これにより、プーリ５１が空転し、エンジン６０の駆動力は回転軸４に伝達されない。
【００２６】
この際の駆動機構３０による圧縮機構１０の駆動を以下に説明する。ＳＲモータ３１の第１突極子３２ａと第２突極子３４ａ、３４ｂ、３４ｃ、３４ｄとの位置関係が図２に示すような状態からＵ相の巻線３３に通電すると、磁力が発生して一対の第２突極子３４ａ、３４ｃが吸引され、回転子３４が図２において右回転する。そして、回転子３４が図３に示す位置になったとき、Ｕ相の巻線３３への通電を停止するとともにＶ相の巻線３３に通電すると、今度は一対の第２突極子３４ｂ、３４ｄが吸引される。さらに、回転子３４が図４に示す位置になったとき、Ｖ相の巻線３３への通電を停止するとともにＷ相の巻線３３に通電すると、一対の第２突極子３４ａ、３４ｃが吸引される。こうして、このＳＲモータ３１では、第２突極子３４ａ、３４ｂ、３４ｃ、３４ｄの位置に合わせてＵ相、Ｖ相、Ｗ相の巻線３３に順次通電することにより、回転子３４を回転させることができる。この際、モータ・コントローラ７１の位置検出回路７３によりＳＲモータ３１の巻線３３への印加電圧等を検出し、これらの検出値を基にマイコン７０が第２突極子３４ａ、３４ｂ、３４ｃ、３４ｄの位置を推定する。そして、マイコン７０は、第２突極子３４ａ、３４ｂ、３４ｃ、３４ｄの位置に基づいて、モータ・コントローラ７１のＩＰＭ７２を制御している。
【００２７】
ＳＲモータ３１の回転子３４が回転すると、遊星歯車機構の太陽歯車４２が回転子３４に嵌合されているため、太陽歯車４２は回転子３４と一体として回転する。太陽歯車４２が回転すると遊星歯車４３を介してアーム４３ａが減速されて回転する。そして、ワンウェイクラッチ４７により、アーム４３ａの回転と同じ速さで回転軸４も回転する。こうして、ＳＲモータ３１の回転子３４の回転は、減速機構４０により減速されて回転軸４に伝達される。
【００２８】
回転軸４が回転すると、スライドキー２３が駆動され、駆動ブッシュ２５が自転防止機構２７との協働により可動スクロール１２を公転円に沿って公転させる。そして、固定側板１１ａ、固定渦巻体１１ｃ、可動側板１２ａ及び可動渦巻体１２ｂにより形成される圧縮室１３は順次容積を縮小させながら渦巻き中心方向へ移動される。こうして、回転軸４の回転により圧縮機構１０が駆動される。このため、冷凍回路より吸入室３ｂから吸入段階の圧縮室１３に吸入された冷媒ガスは、圧縮室１３の移動により、吐出ポート１４、吐出室３ａを経て冷凍回路へ排出される。
【００２９】
また、ＳＲモータ３１への通電を停止するとともに電磁クラッチ５０のコイル５２へ通電し、電磁クラッチ５０により圧縮機構１０を駆動することができる。つまり、ＳＲモータ３１への通電を停止すれば、回転子３４に回転力が与えられることはなく、駆動機構３０から回転軸４へは動力が伝達されない。また、電磁クラッチ５０のコイル５２に通電することにより、プーリ５１とハブ５３とが接続され、エンジン６０の駆動力が回転軸４に伝達される。回転軸４が回転すると、上記のように圧縮機構１０が駆動される。こうして、電磁クラッチ５０により圧縮機構１０が駆動される。
【００３０】
さらに、ＳＲモータ３１及び電磁クラッチ５０のコイル５２の両方への通電を停止すれば、圧縮機構１０の駆動を停止することができる。
【００３１】
これらの間、このハイブリッドコンプレッサでは、電動モータとしてＳＲモータ３１を採用している。このＳＲモータ３１は、回転子３４に永久磁石や巻線がないため、構造が簡単であり、丈夫である上、安価である。また、固定子３４の巻線３３が第１突極子３２ａに集中巻きされるため、コイルエンドが短くて済み、電動モータがコンパクトになる。さらに、スイッチング用パワー素子、駆動回路、保護回路等を１つにした電源用半導体モジュールであるＩＰＭ７２等を用いた制御技術の進展により、確実かつ低コストにＳＲモータ３１を制御することが可能である。
【００３２】
また、このハイブリッドコンプレッサでは、駆動機構３０と圧縮機構１０との間に減速機構４０が備えられているため、駆動機構３０による回転軸４の回転数と電磁クラッチ５０による回転軸４の回転数との違いを吸収し、常に回転軸４が適した回転数で回転できるようにすることができる。また、この減速機構４０が回転軸４を減速するため、ＳＲモータ３１の回転トルクを小さくすることができ、ＳＲモータ３１、ひいてはハイブリッドコンプレッサの小型化が実現されている。
【００３３】
さらに、このハイブリッドコンプレッサでは、減速機構４０と回転軸４との間にワンウェイクラッチ４７が備えられている。ワンウェイクラッチ４７により、ＳＲモータ３１の駆動力は減速機構４０を介して回転軸４に伝達される一方、圧縮機構１０に作用する負荷は回転軸４から減速機構４０に伝達されることはない。そのため、圧縮機構１０にとって減速機構４０及び駆動機構３０が負荷となることはなく、圧縮機構１０がロックすることがない。
【００３４】
したがって、実施形態のハイブリッドコンプレッサによれば、小型化が可能であるとともに、製造コストの低廉化を実現することができる。
【００３５】
また、このハイブリッドコンプレッサでは、駆動機構３０と圧縮機構１０との間に備えられた減速機構４０が軸封装置２１、４６及びシールド軸受４１、４８、４９、４５により封止されているため、減速機構４０は駆動機構３０及び圧縮機構１０に対して密閉された状態になっている。これにより、減速機構４０に専用の潤滑油Ｌを使用することができ、減速機構４０の潤滑を十分に行えることとなる。さらに、減速機構４０内の潤滑油Ｌが減速機構４０の外に漏れることを防止することができ、圧縮機構１０、駆動機構３０及び電磁クラッチ５０を保護することができる。そのため、このハイブリッドコンプレッサによれば、長期間の使用によっても効率及び耐久性が低下し難いものとなる。
【００３６】
なお、この実施形態では６極の第１突極子と４極の第２突極子とを採用したが、第１突極子と第２突極子との数の組み合わせは回転子が一定方向に回転可能なものであればよく、第２突極子の数が第１突極子の数より大きくなってもよい。また、位置検出回路は、ＳＲモータの巻線への印加電圧等を検出しているが、第２突極子の位置が検出できるものであればよく、例えばロータリーエンコーダのパルス出力を計数するものであってもよい。
【００３７】
また、この実施形態では圧縮機構１０としてスクロール型のものを採用したが、ベーン型、斜板型のもの等、公知の圧縮機構を採用することができる。また、この実施形態では伝達機構として電磁クラッチ５０を採用したが、圧縮機構が駆動されていても冷媒ガスの吸入、圧縮及び吐出を実質的に行わないものである場合には、単なるプーリを採用することもできる。
【図面の簡単な説明】
【図１】実施形態のハイブリッドコンプレッサの断面図である。
【図２】実施形態のハイブリッドコンプレッサに係り、図１のＳＲモータのＩＩ−ＩＩ矢視断面図である。
【図３】実施形態のハイブリッドコンプレッサに係り、ＳＲモータの断面図である。
【図４】実施形態のハイブリッドコンプレッサに係り、ＳＲモータの断面図である。
【図５】実施形態のハイブリッドコンプレッサの回路図である。
【符号の説明】
１、２、３、１１ｂ…ハウジング（１…フロントハウジング、２…センターハウジング、３…リアハウジング、１１ｂ…シェル部）
４…回転軸
１０…圧縮機構
３０…駆動機構
３１…ＳＲモータ
３２…固定子
３２ａ…第１突極子
３３…巻線
３４…回転子
３４ａ、３４ｂ、３４ｃ、３４ｄ…第２突極子
４０…変速機構（減速機構）
４７…ワンウェイクラッチ
５０…伝達機構（電磁クラッチ）
６０…外部駆動源（エンジン）
【図１】
2004301055.tif 000003
【図２】
2004301055.tif 000004
【図３】
2004301055.tif 000005
【図４】
2004301055.tif 000006
【図５】
2004301055.tif 000007